【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
光学変倍可能な画像読取装置から画像を受取る受取手段を有する画像処理装置であって、
ユーザにより指示された変倍率が拡大を示す変倍率であって、かつ、当該変倍率が光学変倍後の画像を等倍に戻す際に演算誤差が生じない変倍率である場合には、
前記受取手段で受け取った光学変倍後の画像をデジタル的に等倍に戻した上でコード化情報の検出を行い、
ユーザにより指示された変倍率が拡大を示す変倍率であって、かつ、当該変倍率が光学変倍後の画像を等倍に戻す際に演算誤差が生じる変倍率である場合には、
前記受取手段で受け取った画像に対してコード化情報の検出を行い、かつ、前記受取手段で受け取った画像に対してデジタル的に変倍を行うことを特徴とする画像処理装置。
【請求項２】
ユーザにより指示された変倍率が拡大を示す変倍率であって、かつ、当該変倍率が光学変倍後の画像を等倍に戻す際に演算誤差が生じる変倍率である場合のうち、
当該変倍率が、
１００％より大きく、かつ、当該変倍率が光学変倍後の画像を等倍に戻す際に演算誤差が生じない拡大を示す変倍率の何れよりも小さい場合には、
前記受取手段は、光学変倍されていない画像を受取り、
当該変倍率が光学変倍後の画像を等倍に戻す際に演算誤差が生じない拡大を示す変倍率の何れかより大きい場合には、
前記受取手段は、光学変倍された画像を受取ることを特徴とする請求項１に記載の画像処理装置。
【請求項３】
光学変倍可能な画像読取装置から画像を受取る受取手段を有する画像処理装置であって、
ユーザにより指示された変倍率が拡大を示す変倍率であって、かつ、当該変倍率が光学変倍後の画像を等倍に戻す際に演算誤差が生じない変倍率のうちの所定の変倍率である場合には、
前記受取手段で受け取った光学変倍後の画像をデジタル的に等倍に戻した上でコード化情報の検出を行い、
ユーザにより指示された変倍率が拡大を示す変倍率であって、かつ、当該変倍率が前記所定の変倍率ではない変倍率である場合には、
前記受取手段で受け取った画像に対してコード化情報の検出を行い、かつ、前記受取手段で受け取った画像に対してデジタル的に変倍を行うことを特徴とする画像処理装置。
【請求項４】
前記所定の倍率とは、２００％であることを特徴とする請求項３に記載の画像処理装置。
【請求項５】
ユーザにより指示された変倍率が、１００％より大きく前記所定の変倍率未満である場合には、前記受取手段は、光学変倍されていない画像を受取り、
ユーザにより指示された変倍率が、前記所定の変倍率より大きい場合には、前記受取手段は、光学変倍された画像を受取ることを特徴とする請求項４に記載の画像処理装置。
【請求項６】
光学変倍可能な画像読取装置から画像を受取る受取手段を有する画像処理装置であって、
ユーザにより指示された変倍率が拡大を示す変倍率であって、かつ、２００％である場合には、
前記受取手段で受け取った光学変倍後の画像をデジタル的に等倍に戻した上でコード化情報の検出を行い、
ユーザにより指示された変倍率が拡大を示す変倍率であって、かつ、２００％ではない変倍率である場合には、
前記受取手段で受け取った画像に対してコード化情報の検出を行い、かつ、前記受取手段で受け取った画像に対してデジタル的に変倍を行うことを特徴とする画像処理装置。
【請求項７】
光学変倍可能な画像読取装置から画像を受取る受取手段を有する画像処理装置であって、
ユーザにより指示された変倍率が縮小を示す変倍率であって、かつ、当該変倍率が光学変倍後の画像を等倍に戻す際に演算誤差が生じない変倍率である場合には、
前記受取手段で受け取った光学変倍後の画像をデジタル的に等倍に戻した上でコード化情報の検出を行い、
ユーザにより指示された変倍率が縮小を示す変倍率であって、かつ、当該変倍率が光学変倍後の画像を等倍に戻す際に演算誤差が生じる変倍率である場合には、
前記受取手段で受け取った画像に対してコード化情報の検出を行い、かつ、前記受取手段で受け取った画像に対してデジタル的に変倍を行うことを特徴とする画像処理装置。
【請求項８】
ユーザにより指示された変倍率が縮小を示す変倍率であって、かつ、当該変倍率が光学変倍後の画像を等倍に戻す際に演算誤差が生じる変倍率である場合のうち、
当該変倍率が、
１００％より小さく、かつ、当該変倍率が光学変倍後の画像を等倍に戻す際に演算誤差が生じない縮小を示す変倍率の何れよりも大きい場合には、
前記受取手段は、光学変倍されていない画像を受取り、
当該変倍率が光学変倍後の画像を等倍に戻す際に演算誤差が生じない縮小を示す変倍率の何れかより小さい場合には、
前記受取手段は、光学変倍された画像を受取ることを特徴とする請求項７に記載の画像処理装置。
【請求項９】
光学変倍可能な画像読取装置から画像を受取る受取手段を有する画像処理装置であって、
ユーザにより指示された変倍率が縮小を示す変倍率であって、かつ、当該変倍率が光学変倍後の画像を等倍に戻す際に演算誤差が生じない変倍率のうちの所定の変倍率である場合には、
前記受取手段で受け取った光学変倍後の画像をデジタル的に等倍に戻した上でコード化情報の検出を行い、
ユーザにより指示された変倍率が縮小を示す変倍率であって、かつ、当該変倍率が前記所定の変倍率ではない変倍率である場合には、
前記受取手段で受け取った画像に対してコード化情報の検出を行い、かつ、前記受取手段で受け取った画像に対してデジタル的に変倍を行うことを特徴とする画像処理装置。
【請求項１０】
前記所定の倍率とは、５０％であることを特徴とする請求項９に記載の画像処理装置。
【請求項１１】
ユーザにより指示された変倍率が、
１００％より小さく前記所定の変倍率より大きい場合には、前記受取手段は、光学変倍されていない画像を受取り、
ユーザにより指示された変倍率が、
前記所定の変倍率より小さい場合には、
前記受取手段は、光学変倍された画像を受取ることを特徴とする請求項１０に記載の画像処理装置。
【請求項１２】
光学変倍可能な画像読取装置から画像を受取る受取手段を有する画像処理装置であって、
ユーザにより指示された変倍率が縮小を示す変倍率であって、かつ、５０％である場合には、
前記受取手段で受け取った光学変倍後の画像をデジタル的に等倍に戻した上でコード化情報の検出を行い、
ユーザにより指示された変倍率が縮小を示す変倍率であって、かつ、５０％ではない変倍率である場合には、
前記受取手段で受け取った画像に対してコード化情報の検出を行い、かつ、前記受取手段で受け取った画像に対してデジタル的に変倍を行うことを特徴とする画像処理装置。
【請求項１３】
光学変倍可能な画像読取装置から画像を受取る受取ステップを有する画像処理装置の制御方法であって、
ユーザにより指示された変倍率が拡大を示す変倍率であって、かつ、当該変倍率が光学変倍後の画像を等倍に戻す際に演算誤差が生じない変倍率である場合には、
前記受取ステップで受け取った光学変倍後の画像をデジタル的に等倍に戻した上でコード化情報の検出を行い、
ユーザにより指示された変倍率が拡大を示す変倍率であって、かつ、当該変倍率が光学変倍後の画像を等倍に戻す際に演算誤差が生じる変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項１４】
ユーザにより指示された変倍率が拡大を示す変倍率であって、かつ、当該変倍率が光学変倍後の画像を等倍に戻す際に演算誤差が生じる変倍率である場合のうち、
当該変倍率が、
１００％より大きく、かつ、当該変倍率が光学変倍後の画像を等倍に戻す際に演算誤差が生じない拡大を示す変倍率の何れよりも小さい場合には、
前記受取ステップは、光学変倍されていない画像を受取り、
当該変倍率が光学変倍後の画像を等倍に戻す際に演算誤差が生じない拡大を示す変倍率の何れかより大きい場合には、
前記受取ステップは、光学変倍された画像を受取ることを特徴とする請求項１３に記載の画像処理装置の制御方法。
【請求項１５】
光学変倍可能な画像読取装置から画像を受取る受取ステップを有する画像処理装置の制御方法であって、
ユーザにより指示された変倍率が拡大を示す変倍率であって、かつ、当該変倍率が光学変倍後の画像を等倍に戻す際に演算誤差が生じない変倍率のうちの所定の変倍率である場合には、
前記受取ステップで受け取った光学変倍後の画像をデジタル的に等倍に戻した上でコード化情報の検出を行い、
ユーザにより指示された変倍率が拡大を示す変倍率であって、かつ、当該変倍率が前記所定の変倍率ではない変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項１６】
前記所定の倍率とは、２００％であることを特徴とする請求項１５に記載の画像処理装置の制御方法。
【請求項１７】
ユーザにより指示された変倍率が、
１００％より大きく前記所定の変倍率未満である場合には、前記受取ステップは、光学変倍されていない画像を受取り、
ユーザにより指示された変倍率が、
前記所定の変倍率より大きい場合には、
前記受取ステップは、光学変倍された画像を受取ることを特徴とする請求項１６に記載の画像処理装置の制御方法。
【請求項１８】
光学変倍可能な画像読取装置から画像を受取る受取ステップを有する画像処理装置の制御方法であって、
ユーザにより指示された変倍率が拡大を示す変倍率であって、かつ、２００％である場合には、
前記受取ステップで受け取った光学変倍後の画像をデジタル的に等倍に戻した上でコード化情報の検出を行い、
ユーザにより指示された変倍率が拡大を示す変倍率であって、かつ、２００％ではない変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項１９】
光学変倍可能な画像読取装置から画像を受取る受取ステップを有する画像処理装置の制御方法であって、
ユーザにより指示された変倍率が縮小を示す変倍率であって、かつ、当該変倍率が光学変倍後の画像を等倍に戻す際に演算誤差が生じない変倍率である場合には、
前記受取ステップで受け取った光学変倍後の画像をデジタル的に等倍に戻した上でコード化情報の検出を行い、
ユーザにより指示された変倍率が縮小を示す変倍率であって、かつ、当該変倍率が光学変倍後の画像を等倍に戻す際に演算誤差が生じる変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項２０】
ユーザにより指示された変倍率が縮小を示す変倍率であって、かつ、当該変倍率が光学変倍後の画像を等倍に戻す際に演算誤差が生じる変倍率である場合のうち、
当該変倍率が、
１００％より小さく、かつ、当該変倍率が光学変倍後の画像を等倍に戻す際に演算誤差が生じない縮小を示す変倍率の何れよりも大きい場合には、
前記受取ステップは、光学変倍されていない画像を受取り、
当該変倍率が光学変倍後の画像を等倍に戻す際に演算誤差が生じない縮小を示す変倍率の何れかより小さい場合には、
前記受取ステップは、光学変倍された画像を受取ることを特徴とする請求項１９に記載の画像処理装置の制御方法。
【請求項２１】
光学変倍可能な画像読取装置から画像を受取る受取ステップを有する画像処理装置の制御方法であって、
ユーザにより指示された変倍率が縮小を示す変倍率であって、かつ、当該変倍率が光学変倍後の画像を等倍に戻す際に演算誤差が生じない変倍率のうちの所定の変倍率である場合には、
前記受取ステップで受け取った光学変倍後の画像をデジタル的に等倍に戻した上でコード化情報の検出を行い、
ユーザにより指示された変倍率が縮小を示す変倍率であって、かつ、当該変倍率が前記所定の変倍率ではない変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項２２】
前記所定の倍率とは、５０％であることを特徴とする請求項２１に記載の画像処理装置の制御方法。
【請求項２３】
ユーザにより指示された変倍率が、
１００％より小さく前記所定の変倍率より大きい場合には、前記受取ステップは、光学変倍されていない画像を受取り、
ユーザにより指示された変倍率が、
前記所定の変倍率より小さい場合には、
前記受取ステップは、光学変倍された画像を受取ることを特徴とする請求項２２に記載の画像処理装置の制御方法。
【請求項２４】
光学変倍可能な画像読取装置から画像を受取る受取ステップを有する画像処理装置であって、
ユーザにより指示された変倍率が縮小を示す変倍率であって、かつ、５０％である場合には、
前記受取ステップで受け取った光学変倍後の画像をデジタル的に等倍に戻した上でコード化情報の検出を行い、
ユーザにより指示された変倍率が縮小を示す変倍率であって、かつ、５０％ではない変倍率である場合には、
前記受取ステップで受け取った画像に対してコード化情報の検出を行い、かつ、前記受取ステップで受け取った画像に対してデジタル的に変倍を行うことを特徴とする画像処理装置の制御方法。
【請求項２５】
請求項１３から２４のいずれかに記載の画像処理装置の制御方法を実行するためのプログラム。